(57)【要約】【課題】ディスク・ドライブ装置内部におけるディスクとランプとの接触による塵埃の発生を防ぐこと。【解決手段】本発明の一態様に係るディスク・ドライブ装置は、データを記憶するディスク１０１と、ディスク１０１にアクセスするヘッド１０５と、ヘッド１０５をディスク１０１上から退避させるランプ１１５と、ヘッド１０５をディスク１０１上からロード／アンロードするアクチュエータ１０６とを備え、ランプ１１５は、ディスク１０１と重なる先端部とロード／アンロード時にアクチュエータ１０６の一部を支持するアンロード部５０１備える可動部１５０と、ベース部１５１と、可動部１５０とベース部１５１とをつなぎ、可動部１５０がディスクの接触に対してディスク１０１の回転軸方向に動くように、弾性変形するヒンジ部１５２とを有する。【選択図】図３
2007280517.tif 000002
【特許請求の範囲】
【請求項１】
筐体と、
前記筐体内に実装され、データを記憶するディスクと、
前記ディスクにアクセスするヘッドと、
前記ヘッドを前記ディスク上から退避させるランプと、
回動軸を中心として回動し、前記ヘッドを前記ディスク上から前記ランプにアンロードし、さらに、前記ランプから前記ディスク上にロードするアクチュエータと、を備え、
前記ランプは、
前記ディスクと重なる先端部とロード及びアンロード時に前記アクチュエータの一部を支持するアンロード部を備え、前記ディスクの接触に対して前記ディスクの回転軸方向に動く、可動部と、
前記筐体に固定されている固定部を有する、ベース部と、
前記可動部と前記ベース部とをつなぎ、前記可動部が前記ディスクの接触に対して前記ディスクの回転軸方向に動くように、前記ディスクの接触に対して前記ディスクの回転軸方向に弾性変形するヒンジ部と、を有する、
ディスク・ドライブ装置。
【請求項２】
前記ランプは、前記固定部と前記可動部との間に、前記ディスクの面に平行で前記アクチュエーの回動方向と垂直な方向において前記可動部を前記固定部から分離するギャップを有する、
請求項１に記載のディスク・ドライブ装置。
【請求項３】
前記ランプは、前記可動部と前記固定部の間に、前記ギャップを維持するスペーサをさらに備える、
請求項２に記載のディスク・ドライブ装置。
【請求項４】
前記可動部と前記ベース部とは、一つのヒンジ部のみによって結合されている、
請求項１に記載のディスク・ドライブ装置。
【請求項５】
前記ヒンジ部と前記可動部との結合端であって、前記アクチュエータの回動方向において前記ディスクにもっとも近い位置は、アンロード方向において、前記アンロード部の中心よりも前記ディスクの端から離れている、
請求項１に記載のディスク・ドライブ装置。
【請求項６】
前記ヒンジ部と前記可動部との結合端であって、前記アクチュエータの回動方向において前記ディスクにもっとも近い位置は、アンロード方向において、前記アンロード部の前記アクチュエータの一部が停止する停止位置よりも前記ディスクの端から離れている、
請求項１に記載のディスク・ドライブ装置。
【請求項７】
前記ヒンジ部の前記可動部との結合端における前記アクチュエータの回動方向の寸法は、同方向における前記固定部の寸法以下である、
請求項１に記載のディスク・ドライブ装置。
【請求項８】
前記ヒンジ部の前記可動部との結合端における前記アクチュエータの回動方向の寸法は、同方向における前記ベース部の寸法の半分以下である、
請求項１に記載のディスク・ドライブ装置。
【請求項９】
前記ヒンジ部の前記ディスクの回転軸方向における寸法は、前記固定部の前記ディスクの回転軸方向における寸法よりも小さい、
請求項１に記載のディスク・ドライブ装置。
【請求項１０】
前記ヒンジ部の前記可動部との結合端の前記ディスクの回転軸方向における寸法は、前記可動部の前記ヒンジ部との結合端の前記ディスクの回転軸方向における寸法よりも小さく、
前記ヒンジ部の前記ベース部との結合端の前記ディスクの回転軸方向における寸法は、前記ベース部の前記ヒンジ部との結合端の前記ディスクの回転軸方向における寸法よりも小さい、
請求項１に記載のディスク・ドライブ装置。
【請求項１１】
前記ランプは複数のアンロード部を備え、前記可動部は前記ランプの全てのアンロード部を含む、
請求項１に記載のディスク・ドライブ装置。
【請求項１２】
ディスク・ドライブ装備において、ヘッドをディスク上から退避させるランプであって、
ディスクと重なる先端部とロード及びアンロード時にアクチュエータの一部がその上に乗り上げ、前記ディスクの接触に対して前記ディスクの回転軸方向に動く可動部と、
筐体に固定される固定部を有する、ベース部と、
前記可動部と前記ベース部とをつなぎ、前記可動部が動くように、前記ディスクの接触に対して前記ディスクの回転軸方向に弾性変形しうるヒンジ部と、
を備えるランプ。
【請求項１３】
前記可動部と前記ベース部とは、一つのヒンジ部のみによって結合されている、
請求項１２に記載のディスク・ドライブ装置。
【請求項１４】
前記可動部は、
ロード及びアンロード時に前記アクチュエータの一部を支持するアンロード部を備え、
前記ヒンジ部と前記可動部との結合端であって、前記アクチュエータの回動方向において前記ディスクにもっとも近い位置は、アンロード方向において、前記アンロード部の中心よりも前記ディスクの端から離れている、
請求項１２に記載のディスク・ドライブ装置。
【請求項１５】
前記ヒンジ部の前記ディスクの回転軸方向における寸法は、前記固定部の前記ディスクの回転軸方向における寸法よりも小さい、
請求項１２に記載のディスク・ドライブ装置。
【請求項１６】
前記ヒンジ部の前記可動部との結合端における前記アクチュエータの回動方向の寸法は、同方向における前記固定部の寸法以下である、
請求項１に記載のディスク・ドライブ装置。
【発明の詳細な説明】
【技術分野】
【０００１】
本発明はディスク・ドライブ装置およびランプに関し、特にそのエンクロージャ内における塵埃発生の防止に関する。
【背景技術】
【０００２】
光ディスクや磁気テープなどの様々な態様のメディアを使用するデータ記憶装置が知られている。その中で、ハードディスク・ドライブ（以下、ＨＤＤ）は、コンピュータの記憶装置として広く普及し、現在のコンピュータ・システムにおいて欠かすことができない記憶装置の一つとなっている。さらに、コンピュータにとどまらず、動画像記録再生装置、カーナビゲーション・システム、携帯電話、あるいはデジタル・カメラなどで使用されるリムーバブルメモリなど、ＨＤＤの用途は、その優れた特性により益々拡大している。
【０００３】
ＨＤＤで使用される磁気ディスクは同心円状に形成された複数のトラックを有しており、各トラックは複数のセクタに区分されている。各セクタにはサーボ・データと、ユーザ・データが記憶される。スピンドル・モータが磁気ディスクを回転し、薄膜素子であるヘッド素子部がセクタのサーボ・データに従って所望のアドレス位置にアクセスすることによって、磁気ディスクへのデータ書き込み、あるいはデータ読み出しを行うことができる。
【０００４】
ヘッド素子部はスライダに固定されており、これらがヘッドを構成する。スライダが回転している磁気ディスク上を浮上することによって、ヘッドもしくはヘッド素子部を磁気ディスク上の所望の位置にポジショニングすることができる。データ読み出し処理において、ヘッド素子部が磁気ディスクから読み出した信号は、信号処理回路によって波形整形や復号処理などの所定の信号処理が施され、ホストに送信される。ホストからの転送データは、信号処理回路によって所定処理された後に、磁気ディスクに書き込まれる。
【０００５】
ＨＤＤにおいては、装置内部に塵埃が発生すると、ディスクへのデータ記録時にディスクとヘッドとの間に塵埃が入り込み、データ記録を妨げる可能性がある。また、ヘッド・クラッシュの原因になる可能性もある。従って、ＨＤＤの筐体は内部に塵埃が入り込まないようにフィルタ等で密閉される。しかしながら、ＨＤＤ内部の各部材の動作により、使用するうちに内部で塵埃が発生する可能性がある。
【０００６】
このような課題に対し、先行文献１ではサスペンションとランプとの接触に着目し、サスペンションのタブがランプ上を摺動することによる磨耗粉の発生を低減した磁気記録装置が開示されている。先行文献１に開示された技術は、ランプの材料に硬度の低い材料、即ち柔軟な材料を用いることによりタブとランプとの接触によるランプ材料の破壊を防ぎ、以って塵埃の発生を低減するものであり、本発明の趣旨とは異なる。
【特許文献１】特開２００２−２９７５４８号公報
【発明の開示】
【発明が解決しようとする課題】
【０００７】
ロード／アンロード方式のディスク・ドライブ装置では、ディスクの回転が停止する際等にスライダをディスク上から退避（アンロード）させる。この時、スライダを保持するサスペンションをランプが保持する。従って、ランプの材料が柔軟過ぎると、スライダの退避時にサスペンションのタブを保持するという本来の目的に不具合が生じる可能性がある。
【０００８】
本発明はこのような事情を背景としてなされたものであって、ディスク・ドライブ装置内部における塵埃の発生を防ぐことを目的とする。
【課題を解決するための手段】
【０００９】
本発明の一態様に係るディスク・ドライブ装置は、筐体と、前記筐体内に実装され、データを記憶するディスクと、前記ディスクにアクセスするヘッドと、前記ヘッドを前記ディスク上から退避させるランプと、回動軸を中心として回動し、前記ヘッドを前記ディスク上から前記ランプにアンロードし、さらに、前記ランプから前記ディスク上にロードするアクチュエータとを備え、前記ランプは、前記ディスクと重なる先端部とロード及びアンロード時に前記アクチュエータの一部を支持するアンロード部を備え、前記ディスクの接触に対して前記ディスクの回転軸方向に動く、可動部と、前記筐体に固定されている固定部を有する、ベース部と、前記可動部と前記ベース部とをつなぎ、前記可動部が前記ディスクの接触に対して前記ディスクの回転軸方向に動くように、前記ディスクの接触に対して前記ディスクの回転軸方向に弾性変形するヒンジ部とを有する。これにより、ディスク・ドライブ装置内部における塵埃の発生を防ぐことができる。
【００１０】
ここで、前記ランプは、前記固定部と前記可動部との間に、前記ディスクの面に平行で前記アクチュエーの回動方向と垂直な方向において前記可動部を前記固定部から分離するギャップを有することが好ましい。これにより、可動部をベース部に対して相対的に移動可能にすることができる。
【００１１】
また、前記ランプは、前記可動部と前記固定部の間に、前記ギャップを維持するスペーサをさらに備えることが好ましい。これにより、ギャップが狭くなる方向にヒンジ部が変形して戻らなくなることを防ぎ、以ってアクチュエータに対するランプの位置がずれてしまうことを防ぐことができる。
【００１２】
また、前記可動部と前記ベース部とは、一つのヒンジ部のみによって結合されていることが好ましい。これにより、ヒンジ部に脆弱性を持たせ、可動部をベース部に対して相対的に移動可能にすることができる。
【００１３】
また、前記ヒンジ部と前記可動部との結合端であって、前記アクチュエータの回動方向において前記ディスクにもっとも近い位置は、アンロード方向において、前記アンロード部の中心よりも前記ディスクの端から離れていることが好ましい。これにより、可動部がベース部に対して相対的に移動する際に、ヒンジ部に係る負担を軽減することができる。
【００１４】
また、前記ヒンジ部と前記可動部との結合端であって、前記アクチュエータの回動方向において前記ディスクにもっとも近い位置は、アンロード方向において、前記アンロード部の前記アクチュエータの一部が停止する停止位置よりも前記ディスクの端から離れていることが好ましい。これにより、可動部がベース部に対して相対的に移動する際に、ヒンジ部に係る負担を軽減することができる。
【００１５】
また、前記ヒンジ部の前記可動部との結合端における前記アクチュエータの回動方向の寸法は、同方向における前記固定部の寸法以下であることが好ましい。これにより、ヒンジ部に脆弱性を持たせ、可動部をベース部に対して相対的に移動可能にすることができる。
【００１６】
また、前記ヒンジ部の前記可動部との結合端における前記アクチュエータの回動方向の寸法は、同方向における前記ベース部の寸法の半分以下であることが好ましい。これにより、ヒンジ部に十分な脆弱性を持たせ、可動部をベース部に対して相対的に移動可能にすることができる。
【００１７】
また、前記ヒンジ部の前記ディスクの回転軸方向における寸法は、前記固定部の前記ディスクの回転軸方向における寸法よりも小さいことが好ましい。これにより、ヒンジ部に十分な脆弱性を持たせ、可動部をベース部に対して相対的に移動可能にすることができる。
【００１８】
また、前記ヒンジ部の前記可動部との結合端の前記ディスクの回転軸方向における寸法は、前記可動部の前記ヒンジ部との結合端の前記ディスクの回転軸方向における寸法よりも小さく、前記ヒンジ部の前記ベース部との結合端の前記ディスクの回転軸方向における寸法は、前記ベース部の前記ヒンジ部との結合端の前記ディスクの回転軸方向における寸法よりも小さいことが好ましい。これにより、ヒンジ部に十分な脆弱性を持たせ、可動部をベース部に対して相対的に移動可能にすることができる。
【００１９】
また、前記ランプは複数のアンロード部を備え、前記可動部は前記ランプの全てのアンロード部を含むことが好ましい。これにより、可動部がベース部に対して相対的に移動する際、すべてのアンロード部が一体的に移動する。
【００２０】
他方、本発明の一態様に係るランプは、ディスク・ドライブ装備において、ヘッドをディスク上から退避させるランプであって、ディスクと重なる先端部とロード及びアンロード時にアクチュエータの一部がその上に乗り上げ、前記ディスクの接触に対して前記ディスクの回転軸方向に動く可動部と、筐体に固定される固定部を有する、ベース部と、前記可動部と前記ベース部とをつなぎ、前記可動部が動くように、前記ディスクの接触に対して前記ディスクの回転軸方向に弾性変形しうるヒンジ部とを備える。これにより、ディスク・ドライブ装置内部における塵埃の発生を防ぐことができる。
【００２１】
ここで、前記可動部と前記ベース部とは、一つのヒンジ部のみによって結合されていることが好ましい。これにより、ヒンジ部に脆弱性を持たせ、可動部をベース部に対して相対的に移動可能にすることができる。
【００２２】
また、前記可動部は、ロード及びアンロード時に前記アクチュエータの一部を支持するアンロード部を備え、前記ヒンジ部と前記可動部との結合端であって、前記アクチュエータの回動方向において前記ディスクにもっとも近い位置は、アンロード方向において、前記アンロード部の中心よりも前記ディスクの端から離れていることが好ましい。これにより、可動部がベース部に対して相対的に移動する際に、ヒンジ部に係る負担を軽減することができる。
【００２３】
また、前記ヒンジ部の前記ディスクの回転軸方向における寸法は、前記固定部の前記ディスクの回転軸方向における寸法よりも小さいことが好ましい。これにより、ヒンジ部に脆弱性を持たせ、可動部をベース部に対して相対的に移動可能にすることができる。
【００２４】
また、前記ヒンジ部の前記可動部との結合端における前記アクチュエータの回動方向の寸法は、同方向における前記固定部の寸法以下であることが好ましい。これにより、ヒンジ部に脆弱性を持たせ、可動部をベース部に対して相対的に移動可能にすることができる。
【発明の効果】
【００２５】
本発明により、ディスク・ドライブ装置内部における塵埃の発生を防ぐことができる。
【発明を実施するための最良の形態】
【００２６】
以下に、本発明を適用可能な実施の形態を説明する。説明の明確化のため、以下の記載及び図面は、適宜、省略及び簡略化がなされている。又、各図面において、同一要素には同一の符号が付されており、説明の明確化のため必要に応じて重複説明は省略されている。本形態は、変形可能な脆弱部を有するランプに関し、特に、ディスクとの衝突時にその脆弱部が変形して逃げることにより、衝突によってその一部が削られることを回避し、塵埃の発生が抑えられたランプに関する。以下の説明においては、磁気ディスク１０１の面に垂直な方向を上下方向として定義する。
【００２７】
実施形態１．
本発明を適用した具体的な実施の形態について、図面を参照しながら詳細に説明する。本発明の理解の容易のため、最初に、ディスク・ドライブ装置の一例であるハードディスク・ドライブ（ＨＤＤ）の全体構成を説明する。図１は、本実施の形態に係るＨＤＤ１００の構成を模式的に示す平面図である。図１において、１０１はデータを記憶する記録媒体（メディア）であって、磁性層が磁化されることによってデータを記憶する不揮発性の記録ディスクである磁気ディスクである。１０２はＨＤＤ１００の各構成要素を収容するベースである。ベース１０２は、ベース１０２の上部開口を塞ぐトップ・カバー１２１とガスケット（不図示）を介して固定されることによってディスク・エンクロージャを構成し、ＨＤＤ１００の各構成要素を密閉状態で収容することができる。
【００２８】
磁気ディスク１０１はスピンドル・モータ１０３に固定されている。スピンドル・モータ１０３は、所定速度で磁気ディスク１０１を回転する。ヘッド１０５は、スライダと、スライダ表面に固定された変換素子としてのヘッド素子部を備える。ヘッド素子部は、ホスト（不図示）との間で入出力されるデータについて、磁気ディスク１０１への書き込み及び／又は読み出しを行う。ヘッド素子部は、磁気ディスク１０１への記憶データに応じて電気信号を磁界に変換する記録素子及び／又は磁気ディスク１０１からの磁界を電気信号に変換する再生素子を有している。
【００２９】
アクチュエータ１０６は、回動軸１０７に回動自在に保持されており、ＶＣＭ（ボイス・コイル・モータ）１０９によって駆動される。アクチュエータ１０６はヘッド１０５を保持し、回動することによって、磁気ディスク１０１上の所望の位置にヘッドをポジショニングする。また、アクチュエータ１０６が回動することによって、ヘッド１０５を磁気ディスク１０１上から退避させる。アクチュエータ１０６とヘッド１０５とによって、ヘッド・アクチュエータ・アセンブリを構成する。アクチュエータ１０６は、ヘッド１０５が配置されたその先端部から、サスペンション部１１０、アーム部１１１、回動軸１０７が嵌合する嵌合部１０８、コイル・サポート部１１２、フラットコイル１１３の順で結合された各構成部材を備えている。
【００３０】
１１４はベース１０２に固定された上側ステータ・マグネット保持板である。尚、上側ステータ・マグネット保持板１１４は、主要部が便宜上切り欠いて図示され、外形が破線で示されている。図示されていないが、フラットコイル１１３の下側には、上側ステータ・マグネット保持板１１４との間においてフラットコイル１１３を挟むように、下側ステータ・マグネット保持板が配置される。ＶＣＭ１０９は、フラットコイル１１３、上側ステータ・マグネット保持板１１４に固定されたステータ・マグネット（不図示）、及び下側ステータ・マグネット保持板に固定されたステータ・マグネット（不図示）を備えている。
【００３１】
１１５は、磁気ディスク１０１の回転が停止するとき、ヘッド１０５を磁気ディスク１０１上から退避（アンロード）させるためのランプである。図に示されるようにランプ１１５は磁気ディスク１０１の横に設けられる。１１６はサスペンション部１１０の先端部に形成されたタブである。本形態のランプ１１５は、ベース１０２に固定されるベース部１５１、アンロード時にタブ１１６を支持するランプ・スロープ部５０１が形成される可動部１５０およびベース部１５１と可動部１５０とをつなぎ、変形可能な脆弱部となるヒンジ部１５２を有する。ランプ・スロープ部５０１は可動部１５０のアクチュエータ１０６側表面に突出した形で形成され、アクチュエータ１０６のアンロード部となる。当該ランプ１１５の構成については後に詳述する。
【００３２】
ＨＤＤ１００は１枚もしくは積層配置された複数の磁気ディスク１０１を備えることができる。複数枚の磁気ディスク１０１を備える場合、スピンドル・モータ１０３は、その回転軸方向に所定の間隔で、複数の磁気ディスク１０１を一体的に保持する。本形態においては、３枚の磁気ディスクが所定間隔で積層配置されている。また、典型的には、磁気ディスク１０１の両面にデータが記憶されるが、磁気ディスク１０１一方のみにデータを記録することも可能である。
【００３３】
磁気ディスク１０１からのデータの読み取り、又は書き込みのため、アクチュエータ１０６は回転している磁気ディスク１０１表面のデータ領域上空にヘッド１０５を移動する。アクチュエータ１０６が回動することによって、ヘッド１０５が磁気ディスク１０１の表面の半径方向に沿って移動する。これによって、ヘッド１０５（ヘッド素子部）が所望のトラックにアクセスすることができる。磁気ディスク１０１に対向するスライダのＡＢＳ（Air Bearing Surface）面と回転している磁気ディスク１０１との間の空気の粘性による圧力が、サスペンション部１１０によって磁気ディスク１０１方向に加えられる圧力とバランスすることによって、ヘッド１０５は磁気ディスク１０１上を一定のギャップを置いて浮上する。
【００３４】
図２は、ランプ１１５を可動部１５０側からみた側面図であり、ランプ・スロープ部５０１の摺動面上をタブ１１６が摺動する様子を１１６ａ〜１１６ｃとして示している。磁気ディスク１０１の回転が停止するときには、アクチュエータ１０６はヘッド１０５をデータ領域からランプ１１５のランプ・スロープ部５０１に退避させる。アクチュエータ１０６が磁気ディスク１０１上空からランプ１１５の方向（アンロード方向）に回動し、図２中の１１６ａに示すように、アクチュエータ１０６先端のタブ１１６がランプ１１５のランプ・スロープ部５０１上に乗り上げる。
【００３５】
タブ１１６がランプ・スロープ部５０１に乗り上げると、図２中の１１６ｂに示すように、その表面を摺動しながら移動し、図２中の１１６ｃに示すように、パーキング面５０１ａに乗ることにより、ヘッド１０５がアンロードされる。この時、アクチュエータ１０６の一部がクラッシュ・ストップに当接し、その回動を制限されている。ロードのときには、パーキング面５０１ａに支持されていたアクチュエータ１０６は、ランプ１１５から離脱して磁気ディスク１０１表面上空に移動する。
【００３６】
次に、図３（ａ）〜（ｃ）を参照してランプ１１５について更に詳細に説明する。図３（ａ）はランプ１１５全体を模式的に示す斜視図である。図３（ｂ）は、ランプ１１５の上面図である。図３（ｃ）は、ランプ１１５を可動部１５０側から見た図である。可動部１５０は、ヘッド１０５のアンロード時にタブ１１６が摺動する摺動面を有するランプ・スロープ部５０１、回転する磁気ディスク１０１の外周部が通過するスリット５０２、摺動面の一部に対向するように形成されたカバー部５０３、アクチュエータ１０６がデータ領域から退避した状態においてヘッド１０５を保持するジンバルを支持し、ヘッド１０５の移動を制限するジンバル・ヘッド支持部５０４を有する。
【００３７】
ランプ・スロープ部５０１は、アクチュエータ１０６のロード及びアンロード時に、タブ１１６が摺動する摺動部である。ランプ・スロープ部５０１は、可動部１５０においてアクチュエータ１０６の回動方向と垂直な方向に突出するように形成されている。ランプ・スロープ部５０１は、アクチュエータ１０６の回動方向に沿って摺動面を有し、その摺動面の一部にタブ１１６を支持するパーキング面５０１ａおよびパーキング面５０１ａに連続する斜面５０１ｂが形成されている。パーキング面５０１は、アクチュエータ１０６の一部がクラッシュ・ストップに接触して停止している時に、タブ１１６を指示する停止面である。アクチュエータ１０６の一部がクラッシュ・ストップに接触した状態において、タブ１１６を支持するパーキング面５０１ａの位置が停止ポジションである。
【００３８】
１つのランプ・スロープ部５０１には、上下両面に摺動面が形成されており、夫々の摺動面にパーキング面５０１ａおよび斜面５０１ｂが形成されている。本形態に係るランプ１１５は、２つのランプ・スロープ部５０１を有し、合計で４つの摺動面を有する。即ち、本形態に係るＨＤＤ１００は４つのアクチュエータ１０６を有する。ランプ１１５に形成されるランプ・スロープ部５０１および摺動面は、全て可動部１５０に形成される。
【００３９】
スリット５０２は、１つのランプ・スロープ部５０１に対して１つ形成される。スリット５０２は、ランプ・スロープ部５０１を含む可動部１５０の磁気ディスク１０１側の先端を磁気ディスク１０１の面に平行な方向に切り欠くように形成される。即ち、スリット５０２は、ランプ・スロープ部５０１の摺動面と平行な方向に、ランプ・スロープ部を切り欠くように形成され、結果的に、ランプ・スロープ部５０１の上下面である摺動面の間に空間が形成される。スリット５０２によって切り欠かれた空間に磁気ディスク１０１の外周部が配置され、磁気ディスク１０１と可動部１５０の先端部とが重なって配置される。スリット５０２は、ランプ・スロープ部５０１において、アクチュエータ１０６がアンロードされる際に、タブ１１６が最初に接触する側に形成される。
【００４０】
アクチュエータ１０６がデータ領域からアンロードされる際、上述したようにアクチュエータ１０６がランプ１１５方向へ回動し、タブ１１６がランプ・スロープ部５０１の摺動面に接触する。この時、磁気ディスク１０１の外周部がスリット５０２に入り込んでいるため、ヘッド１０５がまだ磁気ディスク１０１上にある状態、即ちスライダに浮力が発生している状態で、タブ１１６がランプ・スロープ部５０１に接触する。
【００４１】
タブ１１６はランプ・スロープ部５０１上を摺動し、斜面５０１ｂを下ってパーキング面５０１ａに着地する。従って、アクチュエータ１０６が退避位置にアンロードされているとき、タブ１１６はパーキング面５０１ａに接触している。斜面５０１ｂの働きにより、ＶＣＭ１０９の駆動力が働かない限りアクチュエータ１０６が誤って磁気ディスク１０１上のデータ領域にロードされることはない。
【００４２】
また、パーキング面５０１ａの直上に配置されたカバー部５０３の働きにより、アクチュエータ１０６が退避位置にアンロードされている時に、外乱の影響によってタブ１１６がパーキング面５０１ａから浮き上がっても、カバー部５０３がタブ１１６を押さえ、アクチュエータ１０６が誤って磁気ディスク１０１上のデータ領域にロードされること若しくはヘッド１０５に大きな衝撃が加わることを防ぐことができる。更に、ジンバル・ヘッド支持部５０４の働きにより、ヘッド１０５及びヘッド１０５を保持するジンバルに大きな衝撃が加わることを防ぐことができる。
【００４３】
ベース部１５１は、ランプ１１５をベース１０２に固定するための固定部５１１を有する。固定部５１１はベース部１５１を貫通する貫通孔を有し、当該貫通孔においてベース部１５１がベース１０２にネジ留めされることにより、ランプ１１５がベース１０２に固定される。可動部１５０とベース部１５１とは、ギャップ１５３を介して隙間の開いた状態で配置される。
【００４４】
ギャップ１５３は、可動部１５０とベース部１５１との間の空間（スリット）である。ギャップ１５３は磁気ディスク１０１の面に平行な方向であって、アクチュエータ１０６の回動方向と垂直な方向に可動部１５０とベース部１５１とを分離する。即ち、可動部１５０とベース部１５１とは、ギャップ１５３を介して、磁気ディスク１０１の面に平行な方向であって、アクチュエータ１０６の回動方向と垂直な方向に対向して配置される。
【００４５】
可動部１５０とベース部１５１とは、アクチュエータ１０６の回動方向におけるギャップ１５３の端であって、磁気ディスク１０１とは反対側、即ち可動部１５０のスリット５０２が形成された側とは反対側においてヒンジ部１５２によって連結されている。また、ベース部１５１は、ギャップ１５３において可動部１５０に向かって突出するスペーサ５１２を有する。スペーサ５１２の突出高さは、ギャップ１５３の間隔、即ち可動部１５０とベース部１５１との間隔と略同一であり、スペーサ５１２の突端は可動部１５０に当接している。スペーサ５１２によって可動部１５０とベース部１５１とのギャップ１５３の間隔が維持される。スペーサ５１２は、ギャップ１５３のヒンジ部１５２が形成された側とは反対側の端部近傍に形成される。
【００４６】
図３（ｂ）に示すように、可動部１５０とベース部１５１とは、１つのヒンジ部１５２によって結合されている。ヒンジ部１５２は、ギャップ１５３に面している。ヒンジ部１５２が弾性変形することにより、可動部１５０がベース部１５１に対して相対的に動く。可動部１５０、ベース部１５１及びヒンジ部１５２は、同一の主材料により一体に成型され、例えば樹脂材料が用いられる。
【００４７】
磁気ディスク１０１の回転軸方向におけるヒンジ部１５２の寸法は、ベース部１５１の同方向における寸法よりも小さい。また、磁気ディスク１０１の回転軸方向における、ヒンジ部１５２の可動部１５０との結合端の寸法は、同方向における可動部１５０のヒンジ部１５２との結合端の寸法よりも小さい。同様に、磁気ディスク１０１の回転軸方向における、ヒンジ部１５２のベース部１５１との結合端の寸法は、同方向におけるベース部１５１のヒンジ部１５２との結合端の寸法よりも小さい。
【００４８】
更に、アクチュエータ１０６の回動方向におけるヒンジ部１５２の寸法は、磁気ディスク１０１の回転軸方向におけるヒンジ部１５２の寸法と同程度である。即ち、アクチュエータ１０６の回動方向におけるヒンジ部１５２の寸法はベース部１５１よりも小さく、ヒンジ部１５２はベース部１５１に対して島状に突出するように形成される。従って、ヒンジ部１５２は、ベース部１５１よりも高い脆弱性を有し、変形しやすい。
【００４９】
次に、図４を用いて、ランプ１１５の働きについて説明する。ＨＤＤ１００に対して外部から衝撃が加えられ、スピンドル・モータ１０３に固定された磁気ディスク１０１の回転軸が傾くと、スリット５０２に入り込んでいる磁気ディスク１０１の外周部が、磁気ディスク１０１の回転軸方向に移動し、スリット５０２の内壁に接触する。これにより、磁気ディスク１０１からスリット５０２に対して衝撃が加えられるが、ヒンジ部１５２が弾性変形することにより、可動部１５０がベース部１５１に対して相対的に傾いて移動し、磁気ディスク１０１から加えられる衝撃から逃げる。
【００５０】
具体的には、磁気ディスク１０１が図４に示す矢印Ａの方向に傾くことによって、スリット５０２の内壁に磁気ディスク１０１の回転軸方向の衝撃が加えられると、ヒンジ部１５２が撓んで可動部１５０が図４に示す矢印Ｂの方向に傾いて移動し、この衝撃から逃げる。従って、磁気ディスク１０１の接触によってランプ１１５に加えられる衝撃が低減さる。結果的に、磁気ディスク１０１とランプ１１５との接触によってランプ１１５が削られることによる塵埃の発生を防ぐことができる。
【００５１】
ヒンジ部１５２の弾性変形によって可動部１５０がベース部１５１に対して傾いて移動する間、スペーサ５１２が可動部１５０とベース部１５１とのギャップ１５３の間隔を維持する。これにより、ギャップ１５３が狭くなる方向にヒンジ部１５２が変形して戻らなくなることを防ぎ、以ってアクチュエータ１０６に対するランプ・スロープ部５０１の位置がずれてしまうことを防ぐことができる。
【００５２】
本形態に係るランプ１１５は、それ自体を柔軟な材料で形成するのではなく、ランプ１１５の一部に弾性変形可能な部分を設ける。これにより、ランプ１１５において磁気ディスク１０１と接触する可能性のある部分が、磁気ディスク１０１との接触に対して移動可能となり、ランプ１１５の剛性を保ったまま磁気ディスク１０１と接触した際の衝撃から逃げることができる。
【００５３】
本形態に係るランプ１１５の可動部１５０は、ヒンジ部１５２を中心として磁気ディスク１０１の回転軸方向に回転するように傾き、ベース部１５１に対して移動する。可動部１５０は、スリット５０２における磁気ディスク１０１の外周部の移動に従って移動する。従って、可動部１５０の移動量はスリット５０２部分の移動量によって決定される。
【００５４】
スリット５０２部分の移動量が同じであれば、ヒンジ部１５２の変形量は、ヒンジ部１５２が形成されている位置がスリット５０２から遠い方が少なくなり、磁気ディスク１０１とランプ１１５との接触時にヒンジ部１５２にかかる負担を軽減することができ、好ましい。従って、本実施形態のように、アクチュエータ１０６の回動方向における可動部１５０の端であって、磁気ディスク１０１から遠い側の端にヒンジ部１５２を形成することにより、磁気ディスク１０１とランプ１１５との接触時にヒンジ部１５２にかかる負担を軽減することができる。
【００５５】
尚、アクチュエータ１０６の回動方向における可動部１５０の端であって、磁気ディスク１０１から遠い側の端以外であっても、ヒンジ部１５２を形成することができる。ヒンジ部１５２を形成する位置を、アクチュエータ１０６の回動方向における可動部１５０の中心に近づけることにより、通常時における可動部１５０の安定性を高めることができる。具体的には、ヒンジ部１５２を形成する位置、即ち可動部１５０とベース部１５１とを結合する位置を、図３（ｂ）に示す位置からギャップ１５３においてスペーサ５１２に近づける。ここで言うヒンジ部１５２の位置とは、ヒンジ部１５２と可動部１５０との結合端であって、アクチュエータ１０６の回動方向においてもっとも磁気ディスク１０１に近い点を言う。
【００５６】
例えば、アクチュエータ１０６のアンロード方向において、ランプ・スロープ部５０１の摺動面の中心よりも、磁気ディスク１０１の端から離れた位置でヒンジ部１５２が可動部１５０に結合するように形成することができる。また、アクチュエータ１０６の回動方向におけるアクチュエータ１０６の停止ポジションよりも、スリット５０２若しくはスリット５０２と重なっている磁気ディスク１０１の部分から離れた位置で、ヒンジ部１５２が可動部１５０に結合するように形成することもできる。これにより、磁気ディスク１０１とランプ１１５との接触時にヒンジ部１５２にかかる負担を抑えると同時に、通常時における可動部１５０の安定性を高めることができる。
【００５７】
上記の説明においては、スペーサ５１２をベース部１５１に形成する例を説明したが、可動部１５０側に形成しても良い。また、スペーサ５１２を形成しなくても良い。更に、ギャップ１５３に挿入されるような凸部をベース１０２に形成することよって、スペーサ５１２と同様の効果を得ることもできる。
【００５８】
上記の説明においては、１つの可動部に２つのランプ・スロープ部５０１が形成され、１つのランプ・スロープ部５０１に２つの摺動面が形成される例を説明したが、１つの可動部に１つ若しくは３つ以上のランプ・スロープ部５０１が形成されてもよく、１つのランプ・スロープ部５０１に１つ若しくは３つ以上の摺動面が形成されても良い。
【００５９】
上記の説明においては、ヒンジ部１５２がベース部１５１に対して島状に形成されている例を説明したが、必ずしも島状である必要はない。ヒンジ部１５２が撓むことにより、可動部１５０がベース部１５１に対して相対的に移動し、磁気ディスク１０１と可動部１５０との衝突による衝撃を吸収可能であれば良い。例えば、ヒンジ部１５２のベース部１５１との結合端におけるアクチュエータ１０６の回動方向の寸法は同方向における固定部５１１若しくはベース部１５１の寸法の半分であっても良い。
【００６０】
尚、上記の説明においては、ディスク・ドライブ装置として磁気ディスクを用いたハードディスク・ドライブを例に説明したが、これに限定されるものではない。例えば内部に光学式記録媒体を有する光学式ディスク・ドライブや、光学式記録媒体を内部に収容して当該記録媒体に記録された情報を読み出すディスク・ドライブに適用することも可能であり、ディスク型の記録媒体に対応したディスク・ドライブ装置であれば、その記録方法は特に限定されない。
【００６１】
更に、上記の説明においては、アクチュエータ１０６に備えられたヘッド１０５は読み出し及び書き込みを行なう素子として説明したが、これに限定されるものではない。ヘッド１０５が読み出し、又は書き込みのどちらか一方だけを行なう場合にも、本発明を適用することが可能である。また、読み出しを行なうヘッドを備えるアクチュエータと、書き込みを行なうヘッドを備えるアクチュエータとをそれぞれ別々に有しても良い。
【００６２】
実施形態２．
図５（ａ）〜（ｃ）を用いて、本発明に係る他の実施例を説明する。尚、実施の形態１と同様の符号を付す構成については実施の形態１と同一または相当部を示し、説明を省略する。図５（ａ）〜（ｃ）は、ヒンジ部１５２が平板状に形成され、その板面に垂直な方向に撓むことによって変形する例を示す。図５（ａ）は、当該実施例に係るランプ１１５を模式的に示す斜視図であり、図５（ｂ）は、上面図であり、図５（ｃ）は、ランプ１１５をベース部１５１側からみた側面図である。
【００６３】
図５（ｂ）に示すように、本実施形態に係るランプ１１５は、可動部１５０の上面形状が鍵状に近い形状をしており、アクチュエータ１０６の回動方向において磁気ディスク１０１から遠い側に、ランプ・スロープ部５０１とは反対側に屈折するように突出した突出部５０５を有する。即ち、可動部１５０は、ランプ・スロープ部５０１、スリット５０２、カバー部５０３およびジンバル・ヘッド支持部５０４を含む本体部５０６と、本体部５０６から鍵状に突出する突出部５０５とを有する。
【００６４】
本体部５０６とベース部１５１とは、磁気ディスク１０１の板面に平行な方向であって、アクチュエータ１０６の回動方向と垂直な方向に対向している。また、突出部５０５とベース部１５１とは、磁気ディスク１０１の板面に平行な方向であって、アクチュエータ１０６の回動方向と平行に近い方向に対向している。具体的には、突出部５０５とベース部１５１とは、磁気ディスク１０１の板面に平行な方向であって、突出部５０５が本体部５０６から突出する方向と垂直な方向に対向している。本体部５０６とベース部１５１とはギャップ１５３を介して対向している。また、突出部５０５とベース部１５１との間にギャップはなく、突出部５０５とベース部１５１とは、平板状のヒンジ部１５２によって結合されている。
【００６５】
本形態に係るヒンジ部１５２は、その板面が磁気ディスク１０１の板面と平行に配置され、ベース部１５１と突出部５０５とを結合する。そして、ヒンジ部１５２の板面が撓むことによって、可動部１５０がベース部１５１に対して相対的に移動する。具体的には、ヒンジ部１５２が撓むことにより、ヒンジ部１５２上の線であって、磁気ディスク１０１に平行であり、突出部５０５とベース部１５１とが対向する方向に垂直な線を軸として、突出部５０５がベース部１５１に対して回動する。これにより、スリット５０２が上下、即ち磁気ディスク１０１の回動軸方向に移動し、磁気ディスク１０１との衝突に対して、その衝撃を緩和することができる。
【００６６】
本形態においては、ヒンジ部１５２の弾性変形により、突出部５０５がベース部１５１に対して傾くことにより、可動部１５０全体が傾き、スリット５０２が移動する。従って、可動部１５０において突出部５０５が突出する位置が支点となって可動部１５０が傾く。ここで、突出部５０５が突出する位置とは、本体部５０６の表面上の点であって、突出部５０５と本体部５０６との結合端のうち、スリット５０２にもっとも近い点を言う。即ち、アクチュエータ１０６の回動方向におけるヒンジ部１５２と可動部１５０とが結合する位置は、可動部１５０において突出部５０５が突出する位置と等しい。従って、可動部１５０において突出部５０５が突出する位置を調整することにより、ヒンジ部１５２と可動部１５０とが結合する位置を変化させることができる。
【００６７】
上記の説明においては、突出部５０５とベース部１５１との間にギャップがなく、平板状のヒンジ部１５２によって結合されている例を説明したが、ヒンジ部１５２を島状に形成し、１個若しくは複数設けることによって突出部５０５とベース部１５１とを結合し、両者の間にギャップを形成しても良い。
【００６８】
実施の形態３．
図６（ａ）〜（ｃ）を用いて、本発明に係る他の実施例を説明する。尚、実施の形態１と同様の符号を付す構成については実施の形態１と同一または相当部を示し、説明を省略する。図６（ａ）〜（ｃ）は、ヒンジ部１５２が可動部１５０、ベース部１５１とは異なる部材で形成された例を示す。図６（ａ）は、当該実施例に係るランプ１１５を模式的に示す斜視図であり、図６（ｂ）は、上面図であり、図６（ｃ）は、ランプ１１５の側面を可動部１５０とベース部１５１とが対向する方向と垂直な方向からみた側面図である。
【００６９】
本形態においては、可動部１５０とベース部１５１とはアクチュエータ１０６の回動方向と垂直な方向に、ギャップ１５３を介して対向して配置され、平板状の金属部材であるヒンジ部１５２によって結合されている。本形態に係るヒンジ部１５２は、その板面が磁気ディスク１０１の面と平行となるように配置されている。可動部１５０とベース部１５１とは２つのヒンジ部１５２によって結合されている。
【００７０】
ヒンジ部１５２は、アクチュエータ１０６の回動方向において、ランプ・スロープ部５０１の摺動面の中心よりも磁気ディスク１０１に近い位置と、ランプ・スロープ部５０１の摺動面の中心よりも磁気ディスク１０１に遠い位置と、の２点において、可動部１５０と結合している。２つのヒンジ部１５２は、同じ高さに形成される。本形態に係るランプ１１５は、例えば可動部１５０、ベース部１５１を成型する型内にヒンジ部１５２となる金属平板を配置した状態で、可動部１５０およびベース部１５１を成型することにより、製造することができる。これ以外にも、各部材を別々に形成してあとから組み合わせても良い。
【００７１】
ヒンジ部１５２の板面が撓むことによって、可動部１５０がベース部１５１に対して傾き、相対的に移動する。本形態に係る可動部１５０とベース部１５１とは、両者が対向する面において２点で結合されている。従って、可動部１５０は、ベース部１５１と対向する面に平行な面内においてはほとんど回動せず、ヒンジ部１５２の板面に平行な方向であって、可動部１５０とベース部１５１とが対向する方向に垂直な方向の線を軸として、ベース部１５１に対して回動する。これにより、スリット５０２が上下、即ち磁気ディスク１０１の回動軸方向に移動し、磁気ディスク１０１との衝突に対して、その衝撃を緩和することができる。
【００７２】
尚、本実施の形態のように、ヒンジ部１５２を可動部１５０、ベース部１５１とは異なる部材で形成し、実施の形態１のように、１つのヒンジ部１５２によって可動部１５０とベース部１５１とを結合することもできる。また、ヒンジ部１５２を可動部１５０、ベース部１５１とは異なる部材で形成する場合において、ヒンジ部１５２は平板状の金属部材である必要はなく、実施の形態１と同様の形状であっても良い。また、実施の形態２における突出部５０５とベース部１５１との対向面のように、ギャップ１５３を設けることなく、対向面の全体に亘ってヒンジ部１５２を形成しても良い。
【図面の簡単な説明】
【００７３】
【図１】本発明の実施の形態におけるハードディスク・ドライブの全体を示す平面図である。
【図２】本発明の実施の形態におけるランプを示す図である。
【図３】本発明の実施の形態におけるランプを示す図である。
【図４】本発明の実施の形態におけるランプの動作を示す図である。
【図５】本発明の他の実施の形態におけるランプを示す図である。
【図６】本発明の他の実施の形態におけるランプを示す図である。
【符号の説明】
【００７４】
１００  ハードディスク・ドライブ、１０１  磁気ディスク、
１０２  ベース、１０３  スピンドル・モータ、１０５  ヘッド、
１０６  アクチュエータ、１０７  回動軸、１０８  嵌合部、
１１０  サスペンション部、１１１  アーム部、１１２  コイル・サポート部、
１１３  フラットコイル、１１４  上側ステータ・マグネット保持板、１１５  ランプ、
１１６  タブ、１２１  トップ・カバー、１５０  可動部、１５１  ベース部、
１５２  ヒンジ部、１５３  ギャップ、５０１  ランプ・スロープ部、
５０１ａ  パーキング面、５０１ｂ  斜面、５０２  スリット、５０３  カバー部、
５０４  ジンバル・ヘッド支持部、５０５  突出部、５０６  本体部、５１１  固定部、
５１２  スペーサ
【図１】
2007280517.tif 000003
【図２】
2007280517.tif 000004
【図３】
2007280517.tif 000005
【図４】
2007280517.tif 000006
【図５】
2007280517.tif 000007
【図６】
2007280517.tif 000008